(57)【要約】【課題】第１映像を低周波数で駆動することにより消費電力を減らし、低周波数駆動によるフリッカの問題を解決する表示装置及びその駆動方法を提供する。【解決手段】走査線及びデータ線に連結されている画素を含む表示パネル１１０と、データ線と連結されてデータ信号を印加する表示駆動部１２０と、走査線と連結されて走査信号を順次に印加する走査駆動部１２１と、映像を表示する駆動周波数を選択するが、表示パネルに表示される映像が第１映像である場合、低周波数を選択し、表示パネル１１０に表示される映像が第１映像ではない場合、正常周波数を選択する周波数選択部１３０と、周波数選択部１３０の選択による駆動周波数に基づいて表示パネル１１０、データ駆動部１２２、及び走査駆動部１２１を制御するタイミング制御部１２５と、を含む。【選択図】図１
2017040908.tif 000002
【特許請求の範囲】
【請求項１】
走査線及びデータ線に連結されている画素を含む表示パネルと、
前記データ線と連結されてデータ信号を印加するデータ駆動部と、
前記走査線と連結されて走査信号を順次に印加する走査駆動部と、
映像を表示する駆動周波数を選択するが、前記表示パネルに表示される映像が第１映像である場合、低周波数を選択し、
前記表示パネルに表示される映像が前記第１映像ではない場合、正常周波数を選択する周波数選択部と、
前記周波数選択部の選択による駆動周波数に基づいて前記表示パネル、前記データ駆動部、及び前記走査駆動部を制御するタイミング制御部と、を含み、
前記タイミング制御部は、
前記表示パネルに表示される映像が前記第１映像である場合、前記低周波数に対応する周期ごとに前記第１映像が表示される前記表示パネルの輝度が繰り返して変化されるように制御することを特徴とする表示装置。
【請求項２】
前記タイミング制御部は、
前記表示パネルに表示される映像が前記第１映像である場合、前記周期の間前記輝度が第１輝度値から第２輝度値までアナログ的に連続して変化されるようにすることを特徴とする請求項１に記載の表示装置。
【請求項３】
前記タイミング制御部は、
前記第１映像にテキスト及びイメージのうち少なくともいずれか一つが含まれる場合、
前記周期ごとに前記テキスト及びイメージの大きさまたは色が変化されるようにすることを特徴とする請求項１に記載の表示装置。
【請求項４】
前記第１映像は、
前記表示パネルを活性化するための入力信号が感知されなくとも、所定の情報を常に前記表示パネルに表示するためのＡＯＤ映像であることを特徴とする請求項１に記載の表示装置。
【請求項５】
前記所定の情報は、現在の時刻、日付、天気、ユーザーの位置、前記ユーザーの生体状態情報、及びアラームのうち少なくともいずれか一つを含むことを特徴とする請求項４に記載の表示装置。
【請求項６】
前記周波数選択部は、
前記第１映像に前記現在の時刻を示す時計画面が含まれた場合、前記駆動周波数として１Ｈｚの低周波数を選択することを特徴とする請求項５に記載の表示装置。
【請求項７】
前記ユーザーの生体情報を測定する端末から前記ユーザーの心臓拍同数についての情報を受信する生体情報受信部をさらに含み、
前記周波数選択部は、
前記ユーザーの心臓拍同数値に対応する低周波数を選択することを特徴とする請求項５に記載の表示装置。
【請求項８】
前記正常周波数は６０Ｈｚであり、前記低周波数は、０Ｈｚ以上３Ｈｚ以下であることを特徴とする請求項１に記載の表示装置。
【請求項９】
前記周波数選択部によって選択された低周波数が０である場合、
前記タイミング制御部は、
前記表示パネルに前記第１映像が表示されれば、前記輝度が第１輝度値からアナログ的に連続して低くなるように制御し、
前記輝度が前記第１輝度値よりも低い値を有する第２輝度値に到逹すれば、前記第２輝度値を維持するように制御することを特徴とする請求項８に記載の表示装置。
【請求項１０】
タッチ入力信号を感知するタッチセンサーをさらに含み、
前記タイミング制御部は、
前記タッチセンサーによって前記タッチ入力信号が感知される度に前記輝度が前記第１輝度値に上昇されるようにすることを特徴とする請求項９に記載の表示装置。
【請求項１１】
（a）表示パネルに表示される映像の種類を判断する段階と、
（ｂ）前記映像を表示する駆動周波数を選択するが、前記表示パネルに表示される映像が第１映像である場合、低周波数を選択し、前記表示パネルに表示される映像が前記第１映像ではない場合、正常周波数を選択する段階と、
（ｃ）前記選択された駆動周波数に基づいて前記表示パネルに前記映像を表示するが、前記映像が前記第１映像である場合、前記低周波数に対応する周期ごとに前記第１映像の輝度が繰り返して変化されるように表示する段階と、
を含むことを特徴とする表示装置の駆動方法。
【請求項１２】
前記（ｃ）段階は、
前記映像が前記第１映像である場合、前記周期の間前記輝度が第１輝度値から第２輝度値まで次第に連続して変化されるようにすることを特徴とする 請求項１１記載の表示装置の駆動方法。
【請求項１３】
前記（ｃ）段階において、
前記映像が前記第１映像である場合、前記第１映像に含まれたテキスト及びイメージの大きさまたは色のうち少なくともいずれか一つが前記周期ごとに変化されるようにすることを特徴とする請求項１２に記載の表示装置の駆動方法。
【請求項１４】
ユーザーの生体情報を測定する端末から前記ユーザーの心拍数についての情報を受信する段階をさらに含み、
前記映像が前記第１映像である場合、前記駆動周波数として前記ユーザーの心拍数に対応する低周波数値を選択することを特徴とする請求項１２に記載の表示装置の駆動方法。
【請求項１５】
前記第１映像は、
前記表示パネルを活性化するための入力信号が感知されなくとも、所定の情報を常に前記表示パネルに表示するためのＡＯＤ映像であることを特徴とする請求項１１に記載の表示装置の駆動方法。
【発明の詳細な説明】
【技術分野】
【０００１】
本発明は、表示装置及びその駆動方法に関する。
【背景技術】
【０００２】
近年、広く利用されるコンピューターモニター、テレビ、携帯電話などには表示装置が必要である。表示装置には、陰極線管表示装置、液晶表示装置、プラズマ表示装置、有機発光表示装置などがある。
【０００３】
このような表示装置は、表示パネル及び信号制御部を含む。信号制御部は、外部から印加された映像信号とともに表示パネルを駆動するための制御信号を生成して表示パネルに伝送し、表示パネルを駆動する。
【０００４】
表示装置を駆動するにあたり、画質低下の要因となるモーションブラー（Ｍｏｔｉｏｎ  Ｂｌｕｒ）、残像（Ａｆｔｅｒ  Ｉｍａｇｅ）、及びフリッカ（Ｆｌｉｃｋｅｒ）を改善するために、高周波駆動技術を開発して来た。これに、一般的な６０Ｈｚ駆動から進んで、１２０Ｈｚ、２４０Ｈｚ、４８０Ｈｚなど、高周波駆動技術を開発して高画質を具現している。
【０００５】
しかしながら、商用電力を利用するＴＶとは異なり、携帯電話及びＩＴ製品等のようなモバイルデバイスは、バッテリーを介して電力の供給を受けるので消費電力に敏感である。したがって、モーションブラー、残像、及びフリッカなどの画質の低下を防止しつつ消費電力を低減するための技術開発が必要である。
【発明の概要】
【発明が解決しようとする課題】
【０００６】
したがって、本発明は、上述した問題を解決するために案出されたもので、その目的は、第１映像を低周波数で駆動することにより消費電力を減らし、低周波数駆動によるフリッカの問題を解決する表示装置及びその駆動方法を提供することである。
【課題を解決するための手段】
【０００７】
上記目的を達成するために本発明の一実施例によれば、走査線及びデータ線に連結されている画素を含む表示パネルと、前記データ線と連結されてデータ信号を印加するデータ駆動部と、前記走査線と連結されて走査信号を順次に印加する走査駆動部と、映像を表示する駆動周波数を選択するが、前記表示パネルに表示される映像が第１映像である場合、低周波数を選択し、前記表示パネルに表示される映像が前記第１映像ではない場合、正常周波数を選択する周波数選択部、及び前記周波数選択部の選択による駆動周波数に基づいて前記表示パネル、前記データ駆動部、及び前記走査駆動部を制御するタイミング制御部を含み、前記タイミング制御部は、前記表示パネルに表示される映像が前記第１映像である場合、前記低周波数に対応する周期ごとに前記第１映像が表示される前記表示パネルの輝度が繰り返して変化されるように制御する表示装置が提供される。
【０００８】
また、前記タイミング制御部は、前記表示パネルに表示される映像が前記第１映像である場合、前記周期の間前記輝度を第１輝度値から第２輝度値までアナログ的に連続して変化させることを特徴とする。
【０００９】
また、前記タイミング制御部は、前記第１映像にテキスト及びイメージのうち少なくともいずれか一つが含まれる場合、前記周期ごとに前記テキスト及びイメージの大きさまたは色を変化させることを特徴とする。
【００１０】
また、前記第１映像は、前記表示パネルを活性化するための入力信号が感知されなくとも、所定の情報を常に前記表示パネルに表示するためのＡＯＤ（Ａｌｗａｙｓ  Ｏｎ  Ｄｉｓｐｌａｙ）映像であることを特徴とする。
【００１１】
また、前記所定の情報は、現在の時刻、日付、天気、ユーザーの位置、前記ユーザーの生体状態情報、及びアラームのうち少なくともいずれか一つを含むことを特徴とする。
【００１２】
また、前記周波数選択部は、前記第１映像に前記現在の時刻を示す時計画面が含まれた場合、前記駆動周波数として１Ｈｚの低周波数を選択することを特徴とする。
【００１３】
また、前記ユーザーの生体情報を測定する端末から前記ユーザーの心臓拍同数についての情報を受信する生体情報受信部をさらに含み、前記周波数選択部は、前記ユーザーの心臓拍同数値に対応する低周波数を選択することを特徴とする。
【００１４】
また、前記正常周波数は６０Ｈｚであり、前記低周波数は、０Ｈｚ以上３Ｈｚ以下でありえる。
【００１５】
また、前記周波数選択部によって選択された低周波数が０である場合、前記タイミング制御部は、前記表示パネルに前記第１映像が表示されれば、前記輝度が第１輝度値からアナログ的に連続して低くなるように制御し、前記輝度が前記第１輝度値より低い値を有する第２輝度値に到逹すれば、前記第２輝度値を維持するように制御することを特徴とする。
【００１６】
また、タッチ入力信号を感知するタッチセンサーをさらに含み、前記タイミング制御部は、前記タッチセンサーによって前記タッチ入力信号が感知される度に前記輝度が前記第１値に上昇されるようにすることを特徴とする。
【００１７】
さらに、本発明の他の実施例によれば、（a）表示パネルに表示される映像の種類を判断する段階と、（ｂ）前記映像を表示する駆動周波数を選択するが、前記表示パネルに表示される映像が第１映像である場合、低周波数を選択して、前記表示パネルに表示される映像が前記第１映像ではない場合、正常周波数を選択する段階、及び（ｃ）前記選択された駆動周波数に基づいて前記表示パネルに前記映像を表示するが、前記映像が前記第１映像である場合、前記低周波数に対応する周期ごとに前記第１映像の輝度が繰り返して変化されるように表示する段階と、を含む表示装置の駆動方法が提供される。
【００１８】
また、前記（ｃ）段階は、前記映像が前記第１映像である場合、前記周期の間前記輝度が第１輝度値から第２輝度値までアナログ的に連続して変化させることを特徴とする。
【００１９】
また、前記（ｃ）段階において、前記映像が前記第１映像である場合、前記第１映像に含まれたテキスト及びイメージの大きさまたは色のうち少なくともいずれか一つが前記周期ごとに変化することを特徴とする。
【００２０】
また、ユーザーの生体情報を測定する端末から前記ユーザーの心拍数についての情報を受信する段階をさらに含み、前記映像が前記第１映像である場合、前記駆動周波数として前記ユーザーの心拍数に対応する低周波数値を選択することを特徴とする。
【００２１】
また、前記第１映像は、前記表示パネルを活性化するための入力信号が感知されなくとも、所定の情報を常に前記表示パネルに表示するためのＡＯＤ映像であることを特徴とする。
【発明の効果】
【００２２】
以上のように、本発明の表示装置及びその駆動方法によれば、第１映像を低周波数で駆動することにより消費電力を低減することができる。
【００２３】
また、本発明の駆動装置及びその駆動方法によれば、低周波数駆動によるフリッカ問題を解決することができる。
【図面の簡単な説明】
【００２４】
【図１】本発明の実施例による表示パネル、表示駆動部及び周波数選択部を示す図である。
【図２】本発明の実施例による表示装置の内部構成を概略的に示すブロック図である。
【図３】本発明の一実施例によって表示パネルに表示される第１映像の輝度変化を示した図である。
【図４】本発明の他の実施例によって表示パネルに表示される第１映像の輝度変化を示した図である。
【図５】本発明の一実施例による表示装置を具備した電子器機の外観を示す図である。
【図６】図５に示された電子器機に本発明の実施例による第１映像が表示されることを例示的に説明するための図である。
【図７】本発明の一実施例による表示装置を具備した他の電子器機の外観を示す図である。
【図８】図７に示された電子器機に本発明の実施例による第１映像が表示されることを例示的に説明するための図である。
【発明を実施するための形態】
【００２５】
以下、後述する本発明についての詳細な説明は、本発明が実施されることができる特定の実施例を例示として示す添付図面を参照する。これらの実施例は、当業者が本発明を充分に実施することができるように詳しく説明される。
【００２６】
本発明の多様な実施例は、互いに異なるが、相互排他的である必要はないことを理解しなければならない。例えば、これに記載している特定形状、構造、及び特性は一実施例に係わって本発明の思想及び範囲を逸脱せずに他の実施例に具現されることができる。また、それぞれ開示された実施例内の個別構成要素の位置または配置は、本発明の思想及び範囲を脱しない範囲内で変更されることができることを理解しなければならない。
【００２７】
したがって、後述する詳細な説明は、限定的な意味としてとるべきではなく、本発明の範囲は、適切に説明される場合、その請求項らが主張することと均等なすべての範囲とともに添付された請求項のみによって限定される。図面において類似した参照符号は、さまざまな側面にかけて同一または類似した機能を指称する。
【００２８】
以下では、本発明の属する技術分野における通常の知識を有する者が本発明を容易に実施できるようにするために、本発明の実施例等に関して添付された図面を参照して詳しく説明する。
【００２９】
図１は、本発明の実施例による表示パネル１１０、表示駆動部１２０、及び周波数選択部１３０を示す図面である。
【００３０】
本発明の一実施例による表示装置は、図１に示されたように、映像を表示する表示パネル１１０、表示パネル１１０を駆動するデータ駆動部１２２、及び走査駆動部１２１、データ駆動部１２２、及び走査駆動部１２１を制御するタイミング制御部１２５と周波数選択部１３０と、を含むことができる。
【００３１】
図１を参照すれば、表示パネル１１０は、複数のデータ線Ｄ１〜Ｄｍ、複数の走査線Ｓ１〜Ｓｎ、及び、複数の画素Ｐを含むことができる。
【００３２】
複数の走査線Ｓ１〜Ｓｎは、横方向に延びており、複数のデータ線Ｄ１〜Ｄｍは、複数の走査線Ｓ１〜Ｓｎと交差しながら縦方向に延びることができる。
【００３３】
画素Ｐは、データ線Ｄ１〜Ｄｍ及び走査線Ｓ１〜Ｓｎと連結されることができる。例えば、画素Ｐは、データ線Ｄ１〜Ｄｍと走査線Ｓ１〜Ｓｎとの交差領域にマトリックス形態で配置されることができる。
【００３４】
また、各画素Ｐは、データ線Ｄ１〜Ｄｍ及び走査線Ｓ１〜Ｓｎを介してデータ信号及び走査信号の供給を受けることができる。
【００３５】
一方、液晶表示パネル、有機発光表示パネル、電気泳動表示パネル、プラズマ表示パネルなど、多様な表示パネルに本発明が適用されることができる。
【００３６】
表示駆動部１２０は、走査駆動部１２１、データ駆動部１２２、及びタイミング制御部１２５を含むことができる。また、表示駆動部１２０の駆動信号は、走査信号とデータ信号とを含むことができる。
【００３７】
走査駆動部１２１は、走査タイミング制御信号ＳＣＳに応答して走査線Ｓ１〜Ｓｎに走査信号を供給する。例えば、走査駆動部１２１は、走査線Ｓ１〜Ｓｎに走査信号を順次に供給することができる。
【００３８】
走査駆動部１２１は、別途の構成要素により、表示パネル１１０に位置した走査線Ｓ１〜Ｓｎと電気的に接続されることができる。または、走査駆動部１２１は、表示パネル１１０に直接実装されることもできる。
【００３９】
データ駆動部１２２は、タイミング制御部１２５からデータタイミング制御信号ＤＣＳ、映像データＤｉ１、Ｄｉ２の入力を受けて、データ信号を生成することができる。また、データ駆動部１２２は、生成されたデータ信号をデータ線Ｄ１〜Ｄｍに供給することができる。
【００４０】
データ駆動部１２２は、別途の構成要素により表示パネル１１０に位置したデータ線Ｄ１〜Ｄｍと電気的に接続されることができる。または、データ駆動部１２２は表示パネル１１０に直接実装されることも可能である。
【００４１】
データ線Ｄ１〜Ｄｍを介してデータ信号の供給を受けた画素Ｐは、前記データ信号に対応する輝度で発光することができる。具体的に、データ駆動部１２２は、タイミング制御部１２５が供給する映像データＤｉ１、Ｄｉ２に対応するデータ信号を画素Ｐに供給することで、映像を表示することができる。
【００４２】
データ駆動部１２２は、図１に示されたように、走査駆動部１２１と別個に分離して位置することができる。ただし、他の実施例では、データ駆動部１２２が走査駆動部１２１と統合されることも可能である。
【００４３】
タイミング制御部１２５は、外部から伝達される映像データＤｉ１及び制御信号Ｃｓの入力を受けることができる。
【００４４】
タイミング制御部１２５は、制御信号Ｃｓに基づいて走査駆動部１２１とデータ駆動部１２２とを制御するためのタイミング制御信号を生成することができる。例えば、前記タイミング制御信号は、走査駆動部１２１を制御するための走査タイミング制御信号ＳＣＳと、データ駆動部１２２を制御するためのデータタイミング制御信号ＤＣＳと、を含むことができる。
【００４５】
したがって、タイミング制御部１２５は、走査タイミング制御信号ＳＣＳを走査駆動部１２１に供給し、データタイミング制御信号ＤＣＳをデータ駆動部１２２に供給することができる。
【００４６】
また、タイミング制御部１２５は、周波数選択部１３０から駆動周波数（表示パネルを駆動するための周波数）についての情報を含む映像データＤｉ２の入力を受けることができる。
【００４７】
例えば、タイミング制御部１２５は、周波数選択部１３０から伝達された映像データＤｉ２を参照して、表示パネル１１０に低周波数で駆動する第１映像が表示されるようにすることができるか、または正常周波数で駆動する第２映像が表示されるようにすることも可能である。
【００４８】
この際、タイミング制御部１２５は、データ駆動部１２２の仕様に合うように映像データＤｉ１、Ｄｉ２を変換してデータ駆動部１２２に供給することができる。
【００４９】
図１では、周波数選択部１３０がタイミング制御部１２５と別個に分離して位置するように示したが、これに限定されるものではなく、図１に示されたものと違って周波数選択部１３０がタイミング制御部１２５に統合されることも可能である。
【００５０】
図２は、本発明の実施例による表示装置の内部構成を概略的に示すブロック図である。図２を参照すれば、本発明の一実施例による表示装置は、表示パネル１１０、表示駆動部１２０、周波数選択部１３０、タッチセンサー１４０、生体信号感知部１５０、及び制御部１６０を含むように構成することができる。
【００５１】
まず、タッチセンサー１４０は、ユーザーによるタッチを検出する機能を遂行し、具体的に、ユーザーの身体の一部（例えば、指など）及びスタイラスなどによるタッチを検出することができる。
【００５２】
ユーザーによるタッチは、本発明による表示装置が具備された電子器機に指などを直接的に接触する動作によって行われることができ、また前記電子器機に指などを近接させる動作（ｈｏｖｅｒｉｎｇ）によっても行われることができる。
【００５３】
例えば、タッチセンサー１４０は、静電容量方式のタッチセンサー（ｃａｐａｃｔｉｖｅ  ｔｙｐｅ  ｔｏｕｃｈ  ｓｅｎｓｏｒ）、抵抗膜方式のタッチセンサー（ｒｅｓｉｓｔｉｖｅ  ｔｙｐｅ  ｔｏｕｃｈ  ｓｅｎｓｏｒ）、光タッチセンサー（ｏｐｔｉｃａｌ  ｔｏｕｃｈ  ｓｅｎｓｏｒ）、表面弾性波タッチセンサー（ｓｕｒｆａｃｅ  ａｃｏｕｓｔｉｃ  ｗａｖｅ  ｔｏｕｃｈ  ｓｅｎｓｏｒ）、圧力タッチセンサー（ｐｒｅｓｓｕｒｅ  ｔｏｕｃｈ  ｓｅｎｓｏｒ）、及びハイブリッド方式のタッチセンサー（ｈｙｂｒｉｄ  ｔｏｕｃｈ  ｓｅｎｓｏｒ）のうちいずれか一つに具現することができる。
【００５４】
これで、ハイブリッド方式のタッチセンサーは、同種のタッチセンサーらが相互結合されるか、異種のタッチセンサーが相互結合されることで具現されることができる。
【００５５】
ただし、本発明の実施例で使用されるタッチセンサー１４０は、前記種類に限定されるものではなく、種類に関わらず指または道具によるタッチを検出できるように構成されたセンサーであれば充分である。
【００５６】
タッチセンサー１４０は、ユーザーによるタッチが検出されると、タッチ信号を生成してタッチ制御部（図示せず）に供給することができる。
【００５７】
タッチ制御部は、タッチセンサー１４０から供給されたタッチ信号を利用し、発生されたタッチの位置を検出することができる。
【００５８】
一方、タッチセンサー１４０は、図２に示されたように、表示パネル１１０と別個に分離して位置することができるが、これに限定されるものではなく、タッチセンサー１４０が表示パネル１１０に統合されることも可能である。
【００５９】
次に、生体信号感知部１５０は、生体情報測定器（図示せず）からユーザーの生体情報を獲得する機能を遂行することができる。
【００６０】
生体情報は、血圧、血糖、心臓拍同数（心拍数または脈拍ともいう。）、体脂肪、体重、アトピーや喘息などのような疾病、ストレス、呼気等による有機化合物成分及び身長のうち少なくともいずれか一つを含むことができる。
【００６１】
生体情報測定器は、ユーザーの生体情報を測定するものであり、血圧測定器、血糖測定器、脈搏測定器、体重測定器を含むだけでなく、身長測定器、体温測定器を含むことも可能である。
【００６２】
また、生体情報測定器は、ユーザーの健康に影響を及ぼす要因を測定する多様な測定器を含むことができ、周囲環境（たとえば、温度、湿度、紫外線指数、清浄度など）に応じてユーザーの健康に影響を及ぼすことがある多様な測定器を含むことができる。
【００６３】
次に、制御部１６０は、タッチセンサー１４０、生体信号感知部１５０、及び周波数選択部１３０間のデータの流れを制御する機能を遂行することができる。すなわち、制御部１６０は、各構成要素間のデータの流れを制御することで、タッチセンサー１４０、生体信号感知部１５０、及び周波数選択部１３０でそれぞれの固有機能を遂行するように制御することができる。
【００６４】
一方、図２では、説明の便宜のために制御部１６０がそれぞれの構成要素と別個に分離して位置したことに示したが、これに限定されるものではなく、周波数選択部１３０に統合されたり、または周波数選択部１３０とともにタイミング制御部１２５に統合されることも可能である。
【００６５】
次に、表示パネル１１０は、図１を参照して上述したように、複数の画素Ｐを含むことで、所定の映像を表示することができる。例えば、表示パネル１１０は、表示駆動部１２０の制御によって第１映像または第２映像を表示することができる。
【００６６】
また、表示パネル１１０は、有機電界発光表示パネル（Ｏｒｇａｎｉｃ  Ｌｉｇｈｔ  Ｅｍｉｔｔｉｎｇ  Ｄｉｓｐｌａｙ  Ｐａｎｅｌ）、液晶表示パネル（Ｌｉｑｕｉｄ  Ｃｒｙｓｔａｌ  Ｐａｎｅｌ）、プラズマ表示パネル（Ｐｌａｓｍａ  Ｄｉｓｐｌａｙ  Ｐａｎｅｌ）などに具現することができるが、これに限定されない。
【００６７】
表示駆動部１２０は、所定の駆動信号を表示パネル１１０に供給することで、表示パネル１１０の映像表示動作を制御することができる。例えば、表示駆動部１２０は、外部から供給される映像データＤｉ１、周波数選択部１３０の選択による駆動周波数に対する映像データＤｉ２、及び制御信号Ｃｓのうち少なくともいずれか一つを利用して駆動信号を生成することができる。
【００６８】
具体的に、表示駆動部１２０は、第１映像または第２映像を表示パネル１１０に表示することができる。表示パネル１１０に表示される映像が第１映像である場合には、周波数選択部１３０によって選択された低周波数に対応する周期ごとに、第１映像が表示される表示パネルの輝度が繰り返して変化されるように駆動信号を生成することができる。
【００６９】
次に、周波数選択部１３０は、映像を表示する駆動周波数を選択する機能を遂行し、特に、表示パネル１１０に表示される映像が第１映像である場合には、低周波数を選択し、表示パネル１１０に表示される映像が第２映像である場合に、正常周波数を選択することができる。
【００７０】
本明細書では、表示パネル１１０に表示される映像の中で第１映像を除いた映像については第２映像であるものと名付けることにする。
【００７１】
本発明では、第１映像は、ユーザーの必要に応じて表示パネル１１０が活性化される場合に現われる映像ではなく、表示パネル１１０を活性化するための別途の入力信号が感知されなくとも、所定の情報を常に表示パネル１１０に表示するためのＡＯＤ映像でありえる。
【００７２】
この際、第１映像に表示される所定の情報とは、現在の時刻、日付、天気、ユーザーの位置、該ユーザーの生体状態情報、及びアラームメッセージのうち少なくともいずれか一つを含むものでありえる。すなわち、代表的に第１映像は、時計画面などを含むことができる。
【００７３】
一方、表示パネル１１０を活性化するための入力信号は、タッチ入力信号、または本発明による表示装置が具備された電子器機の入力ボタンによる信号でありえる。
【００７４】
本発明のように第１映像、すなわち、ＡＯＤ映像を表示する場合、別途の動作なしにも所定の情報をいつでも確認することができるような長所があり、特に、長期間固定画面を表示しなければならないウェアラブル（ｗｅａｒａｂｌｅ）表示装置やスマートフォンなどに有用に使用することができる。
【００７５】
ただし、第１映像は上述したように、常に動作状態なので、消費電力が大きいという問題点があり、本発明では、第１映像が低周波数で駆動されるように制御することで、上述した問題点を解消することができる。これについては今後詳しく説明する。
【００７６】
一般に、表示パネル１１０は、１秒当たり数個のフレームを現わし、例えば、表示パネル１１０の駆動周波数が６０Ｈｚである場合には、１秒当たり６０個のフレームを現わし、駆動周波数が１Ｈｚの場合には１秒当たり１個のフレームを示す。
【００７７】
各フレームが有する映像データが同一であれば、停止映像が表示されて、各フレームが有する映像データが互いに異なると動画が表示される。
【００７８】
一方、表示パネル１１０に具備されたそれぞれの画素Ｐが発光することにおいて、それぞれの画素Ｐに具備されたキャパシタ（図示せず）に充電された電圧は、時間が経つほど減少して、特に低周波駆動の場合、前記電圧が漏洩する時間が長くなって画素電極の電圧変化が大きくなる。
【００７９】
したがって、このような場合、フリッカ現象が認知されるという問題点があり、従来には、停止映像が表示される場合にも高周波数で駆動されるように制御することで、フリッカ現象が視認されないようにした。
【００８０】
このために、本発明では、表示パネル１１０に表示される映像が第１映像である場合、低周波数で駆動して消費電力を低減しながらも、フリッカ現象によるユーザーの不便さを解消しようとする。
【００８１】
具体的に、周波数選択部１３０は、表示パネル１１０に表示される映像が第１映像である場合、表示パネル１１０の駆動周波数として低周波数を選択するが、特に、時間をはかる単位である秒に対応する低周波数値を選択するか、またはユーザーの心拍数に対応する低周波数値を選択することができる。
【００８２】
タイミング制御部１２５は、周波数選択部１３０によって選択された駆動周波数に基づき、表示パネル１１０を制御するが、表示パネル１１０に表示される映像が第１映像である場合、前記駆動周波数に対応する周期ごとに第１映像の輝度が繰り返して変化されるように制御することができる。これについては、下記図３を参照して詳しく説明する。
【００８３】
図３は、本発明の一実施例によって表示パネル１１０に表示される第１映像の輝度変化を示した図面である。
【００８４】
図３に示されたように、第１映像の輝度は周波数選択部１３０によって選択された駆動周波数、及びタイミング制御部１２５の制御信号によって所定の周期Ｔ１ごとに繰り返して変化しえる。
【００８５】
すなわち、第１映像が始まると、一周期Ｔ１の間に第１映像の輝度は第１輝度値Ｌ１まで増加した後、第１輝度値Ｌ１から第２輝度値Ｌ２までアナログ的に連続して変化し、一周期が経って新しい周期が始まると、再度第１映像の輝度は第１輝度値Ｌ１まで増加した後、第１輝度値Ｌ１から第２輝度値Ｌ２までアナログ的に変化しえる。
【００８６】
例えば、周波数選択部１３０が駆動周波数として時間をはかる単位である１秒に対応する１Ｈｚを選択した場合、第１映像の輝度は毎秒変化されることができる。
【００８７】
上述したように、本発明による第１映像はＡＯＤであり、単なる停止映像とは違って、時刻、日付、位置、または生体情報などについての情報を持続的に提供し、かつ代表的には時計の画面を含むことができる。
【００８８】
すなわち、本発明によれば、時計の画面を含む第１映像を表示するにあたり、毎秒輝度を変化させてちらつくようにすることで、低周波駆動によるフリッカ現象を新しい機能（例えば、秒時計）として活用することができる。
【００８９】
一方、周波数選択部１３０は、上述したように、駆動周波数としてユーザーの心拍数に対応する低周波数値を選択することができる。
【００９０】
この場合、周波数選択部１３０は、生体信号感知部１５０からユーザーの心拍数（１分間心臓が拍動する回数）を獲得し、例えばユーザーの心拍数が８０回である場合、第１映像の輝度は０.７５秒（または０.７５に比例する値）ごとに変化されうる。
【００９１】
したがって、本発明によれば、心拍数が高いほど第１映像の輝度が変化する周期Ｔ１が短くなるので、ユーザーは表示パネル１１０がちらつく速度に基づいて自分の心拍数を知ることができる。
【００９２】
すなわち、本発明による場合、第１映像を低周波数で駆動することで消費電力を低減することができ、低周波数駆動による電圧の漏洩問題を新しい機能として活用することで、フリッカ現象を解決することができる。
【００９３】
一方、本発明によって第１映像が表示される場合、表示パネル１１０の駆動周波数が時間単位（特に、秒）またはユーザーの心拍数に対応されるようにするために、周波数選択部１３０が選択する低周波数の値は、０Ｈｚ以上３Ｈｚ以下の場合がある。
【００９４】
また、第２映像を表示する場合には、正常周波数である６０Ｈｚで表示パネルを駆動することができる。一方、本明細書では６０Ｈｚが正常周波数であることに想定して説明したが、これに限定されるものではなく、表示装置の仕様に応じて第２映像を表示する正常周波数の値変わる場合がある。
【００９５】
図３では、第１輝度値が第２輝度値よりもさらに大きいことに設定されて、一周期の間に輝度が徐々に減少されることに想定して説明したが、これに限定されるものではない。
【００９６】
本発明の他の実施例によって第１輝度値が第２輝度値よりも小さく設定されて一周期の間に輝度が徐々に高くなることができるのは勿論である。
【００９７】
以下では、第１映像を表示するにあたり、周波数選択部１３０が選択した低周波数値が０Ｈｚである場合、第１映像の輝度変化について詳しく説明する。
【００９８】
図４は、本発明の他の実施例によって表示パネル１１０に表示される第１映像の輝度変化を示した図面である。
【００９９】
第１映像の輝度が第１輝度値Ｌ１から第２輝度値Ｌ２までアナログ的に繰り返して変化する本発明の一実施例とは違い、図４を参照すれば、第１映像の輝度は第１輝度値Ｌ１からアナログ的に連続して低くなるように変化する。
【０１００】
この場合、輝度値が第２輝度値Ｌ２に到逹すると、時間が経過しても第１映像の輝度は引き続き第２輝度値Ｌ２を維持することができる。すなわち、第２輝度値Ｌ２からサチュレーション（ｓａｔｕｒａｔｉｏｎ）されうる。
【０１０１】
一方、図４に示されたように、第１映像の輝度が第１輝度値Ｌ１から低くなっているか、または所定の時間が経過して第２輝度値Ｌ２にサチュレーションされた状態でタッチ入力信号が感知される度に、第１映像の輝度が再び第１輝度値Ｌ１に上昇することができる。
【０１０２】
以下では、図５ないし図８を参照して、本発明による表示装置が多様な電子器機に適用されて本発明による第１映像が表示される場合を例示的に説明する。
【０１０３】
図５は、本発明の一実施例による表示装置を具備した電子器機の外観を示す図面である。図５を参照すれば、本発明の実施例による電子器機８００は、映像を出力するための表示装置８５０、前記表示装置が安着されて締結される本体８１０、前記本体８１０に形成されて所定の機能を遂行するための付加装置などを含んで構成される。
【０１０４】
付加装置は、物理的なボタン８４０、音声出力のためのオーディオ部８２０、前面カメラモジュール８３０などを含むことができる。
【０１０５】
図６は、図５に示された電子器機に本発明の実施例による第１映像が表示されることを例示的に説明するための図面である。
【０１０６】
図５及び図６に示されたように、本発明の実施例による表示装置８５０は、平坦な形態を有することができ、表示装置８５０の一部領域に第１映像が表示されることができる。
【０１０７】
第１映像には、現在の時刻、曜日、日付を示すテキストと天気状態を示すイメージがともに表示されることができる。
【０１０８】
上述したように、図６に示された第１映像の輝度は、所定の周期ごとに変化しえる。また、第１映像の輝度のみならず、これに付け加えて第１映像に表示されるテキスト及びイメージの大きさまたは色がともに変化されるように表示されることができる。
【０１０９】
例えば、第１映像の輝度が変化する周期がＴ１である場合、Ｔ１が通り過ぎる度にテキスト及びイメージの大きさまたは色のうち少なくともいずれか一つが変化しえる。
【０１１０】
一方、本発明による表示装置８５０に第１映像が表示される時には消費電力を減少するために、表示パネル領域の中で第１映像が表示される領域を除いた残りの表示パネル領域は、非発光にすることができる。
【０１１１】
図５では説明の便宜のために電子器機８００がスマートフォンであることに示したが、これに限定されるのもではなく、スマートウォッチ、自動車用ディスプレイなども本発明の実施例による電子器機８００として採択されることができる。
【０１１２】
図７は、本発明の実施例によるフレキシブル表示装置を具備した電子器機の外観を示す図面である。
【０１１３】
図７を参照すれば、本発明の実施例による電子器機９００は、フレキシブル表示装置９４０と前記フレキシブル表示装置９４０とが安着されて締結される本体９１０、及び前記本体９１０に形成されて所定の機能を遂行するための付加装置などを含んで構成される。
【０１１４】
付加装置は、スピーカー９２０、マイク（図示せず）、前面カメラモジュール９３０、物理的なボタン（図示せず）などを含むことができる。
【０１１５】
フレキシブル表示装置９４０は、しなることができるディスプレイ装置を示すもので、紙のように薄くて柔軟な基板によって損傷なしに撓めるか、または曲げたり、巻いたりすることができることを特徴とする。
【０１１６】
このようなフレキシブル表示装置９４０は、一般的に使用されるガラス基板ではないプラスチック基板を使用するため、基板の損傷を防止するために既存の製造プロセッサを使用せず、低温製造プロセッサを使用して形成されることができる。
【０１１７】
フレキシブル表示装置９４０は、液晶表示装置（ＬＣＤ；Ｌｉｑｕｉｄ  Ｃｒｙｓｔａｌ  Ｄｉｓｐｌａｙ）、発光ダイオード（ＬＥＤ；Ｌｉｇｈｔ  Ｅｍｉｔｔｉｎｇ  Ｄｉｏｄｅ）、有機発光ダイオード（ＯＬＥＤ；Ｏｒｇａｎｉｃ  ＬＥＤ）、及び能動型ＯＬＥＤ（ＡＭＯＬＥＤ；Ａｃｔｉｖｅ  Ｍａｔｒｉｘ  ＯＬＥＤ）などで液晶を取り囲んでいるガラス基板をプラスチックフィルムに取り替え、折ったり広げたりすることができる柔軟性を付与する。
【０１１８】
このようなフレキシブル表示装置９４０は、薄くて軽いだけでなく衝撃にも強く、さらには上述したように撓めたり曲げたりすることができ、多様な形態で製作が可能であるという長所を有している。
【０１１９】
フレキシブル表示装置９４０は、図７に示したように電子器機９００の少なくとも一つの側面（例えば、左側、右側、上側、下側のうち少なくとも一つの面）まで延びて、フレキシブル表示装置９４０が動作可能な曲律半径（ｒａｄｉｕｓ  ｏｆ  ｃｕｒｖａｔｕｒｅ）以下に折れて本体９１０の側面に締結されることができる。
【０１２０】
以下、本発明では、フレキシブル表示装置９４０の前面に現われる表示領域を前面のメイン表示領域９４１と称し、メイン表示領域９４１から延びて本体９１０の少なくとも一つの側面に曲がって本体９１０の側面に現われる表示領域を側面の補助表示領域９４３と称することとする。
【０１２１】
本発明によれば、図５及び図６を参照で説明したように表示領域の前面、すなわち、メイン表示領域９４１に第１映像が表示されることもできるが、図７のようなフレキシブル表示装置９４０を具備した場合には、補助表示領域９４３に第１映像が表示される場合がある。
【０１２２】
図８は、図７に示された電子器機９００の補助表示領域９４３に本発明の実施例による第１映像が表示されることを例示的に説明するための図面である。
【０１２３】
本発明によれば、補助表示領域９４３を利用して第１映像を表示することができる。このような場合、電子機器９００を別途のケース（図示せず）に入れてメイン表示領域９４１を覆う状態でも補助表示領域９４３を介して常に所定の情報を提供することができる。
【０１２４】
第１映像には、図８に示されたように、現在の時刻、曜日、日付、及びアラーム設定時間を示すテキストと所定のイメージがともに表示されることができる。
【０１２５】
図８に示された第１映像もまた所定の周期ごとに変化することができ、第１映像の輝度のみならず、第１映像に表示されるテキスト及びイメージの大きさまたは色が一ともに変化しえることは勿論である。
【符号の説明】
【０１２６】
１１０  表示パネル
１２０  表示駆動部
１２１  走査駆動部
１２２  データ駆動部
１２５  タイミング制御部
１３０  周波数選択部
【図１】
2017040908.tif 000003
【図２】
2017040908.tif 000004
【図３】
2017040908.tif 000005
【図４】
2017040908.tif 000006
【図５】
2017040908.tif 000007
【図６】
2017040908.tif 000008
【図７】
2017040908.tif 000009
【図８】
2017040908.tif 000010